(57)【特許請求の範囲】
【請求項１】
自動販売機本体に回動自在に支持された前面扉と、前記前面扉に設けられた扉ロック手段とからなる自動販売機の扉装置であって、前記前面扉から自動販売機本体の側面に向けて延在するカバー部材を設け、前記カバー部材は扉ロック手段の施錠操作に連動して自動販売機本体と前面扉との間の隙間を閉塞するようにしたことを特徴とする自動販売機の扉装置。
【請求項２】
自動販売機本体側面に前面扉に沿って凹部を設けるとともに、前記カバー部材に凹部に対向する突設部を設け、扉ロック手段の施錠動作により前記カバー部材の突設部が自動販売機本体の凹部には介在するようにしたことを特徴とする請求項１記載の自動販売機の扉装置。
【請求項３】
前記凹部は、前面扉から離れるに連れて浅くなるように形成したことを特徴とする請求項２記載の自動販売機の扉装置。
【請求項４】
前記扉ロック手段の施錠状態及び解錠状態において、前記カバー部材が自動販売機本体の幅の範囲内に収まるようにしたことを特徴とする請求項１記載の自動販売機の扉装置。
【請求項５】
前面扉が開放された状態において、前記扉ロック手段が施錠状態にならないようにしたことを特徴とする請求項１記載の自動販売機の扉装置。
【発明の詳細な説明】
【０００１】
【発明の属する技術分野】
本発明は、自動販売機の扉装置に関するものであり、詳しくは、自動販売機本体と前面扉との間にバール等を差し込むことによる悪戯を防止する扉装置に関するものである。
【０００２】
【従来の技術】
図４は、自動販売機１の正面図であって、その前面扉３には前面扉３の施解錠するロックレバー５ａ、透明カバー２１により覆われたサンプル商品展示室２０、サンプル商品展示室２０内に展示されたサンプル商品２２、購入商品を選択する商品選択ボタン２３、硬貨を投入する硬貨投入口２５、釣銭等を返却する返却口２６、搬出された商品を取り出す商品取出口２７などが設けられている。
【０００３】
上記構成の自動販売機１において、自動販売機１の本体と前面扉３の間に、バールのようなものを差し込み前面扉３をこじ開けて、その内部に収納された商品、現金を盗むなどの悪戯の対象となっている。また、商品や現金の盗難のほか、前面扉がこじ開けられるとロック装置や自動販売機１の本体等の破損するため、その被害は非常に大きく、修復は困難である。
【０００４】
そこで、上記の悪戯対策として、従来からさまざまな方策が採られている。例えば、図５に示すように、前面扉３１の裏面に、前面扉３１の裏面より自動販売機本体３０の内部側に向けて後方へ延びる外カバー３２と、前面扉３１の裏面より自動販売機本体３０の内部側に向けて後方へ延びる内カバー３３とを設け、これらの外カバー３２と内カバー３３とにより、前面扉３１と自動販売機本体３０との間の隙間を覆い、前面扉３１と自動販売機本体３０との間の隙間からバールＸ等が突っ込まれてもこれらの侵入が内カバー３３や外カバー３２で阻止されて、ロックプレート３４やロックフレーム３５の係合個所などの破損を防止する自動販売機の扉装置が提案されている。
【０００５】
しかしながら、上記構造の扉装置では、外カバー３２と自動販売機本体３０との間に隙間Ｙができるため、この隙間ＹにバールＸ等を差し込み、前面扉３１をこじ開けようとすると、自動販売機本体３０及び外カバー３２が破損するという問題がある。
【０００６】
【発明が解決しようとする課題】
本発明は、上記従来の自動販売機の扉装置の有する問題点を解決するためになされたものであり、前面扉と自動販売機本体との間にバール等が入り込まないようにして扉のこじ開けを防止することをその目的とする。
【０００７】
【課題を解決するための手段】
本発明は、自動販売機本体に回動自在に支持された前面扉と、前面扉に設けられた扉ロック手段とからなる自動販売機の扉装置であって、前面扉から自動販売機本体の側面に向けて延在するカバー部材を設け、カバー部材は扉ロック手段の施錠操作に連動して自動販売機本体と前面扉との間の隙間を閉塞するようにしたことを特徴とする。
【０００８】
また本発明は、自動販売機本体側面に前面扉に沿って凹部を設けるとともに、カバー部材に凹部に対向する突設部を設け、扉ロック手段の施錠動作によりカバー部材の突設部が本体の凹部には介在するようにしたことを特徴とする。
【０００９】
また本発明は、凹部は、前面扉から離れるに連れて浅くなるように形成したことを特徴とする。
【００１０】
また本発明は、扉ロック手段の施錠状態及び解錠状態において、カバー部材が自動販売機本体の幅の範囲内に収まるようにしたことを特徴とする。
【００１１】
さらに本発明は、前面扉が開放された状態において、扉ロック手段が施錠状態でならないようにしたことを特徴とする。
【００１２】
【発明の実施の形態】
本発明の一実施の形態を図面に基づいて説明する。
【００１３】
図１は本発明による自動販売機の扉装置の要部斜視図、図２は本発明による自動販売機の扉装置のロック状態を示す平面断面図、図３は本発明による自動販売機の扉装置のロック解除状態を示す平面断面図である。なお、図１〜３において、図４に示す自動販売機と同じ機能のものについては、同符号を付する。
【００１４】
図１〜３において、２は自動販売機１の本体、２ａは本体２の側面に形成された凹部、３は図示しないヒンジにより自動販売機１に回動自在に支持された前面扉、４はコの字状に形成され前面扉３の高さと同等の長さを有する防盗カバー、４ａは凹部２ａに対向して形成された防盗カバー４の突設部、４ｂは前面扉３に摺動自在に支持された防盗カバー４の摺動部、４ｃは摺動部４ｂに斜め方向に形成された長孔、５は扉ロック装置、５ａは扉ロック装置５のロックレバー、５ｂは扉ロック装置５の係合部、６はロックアングル、７は長孔４ｃに挿通させるとともに一端がロックアングル６に固着されたガイドピン、７ａはガイドピン７の一端に形成され長孔４ｃの幅よりも大きい直径を有する頭部、８は本体２の内側に溶接された補強部材である。なお、凹部２ａの長さは前面扉３の高さと等しい長さに形成されている。また、防盗カバー４は前面扉３に支持されるとともに、矢印Ａ方向に移動自在である。
【００１５】
次に、上記構成の自動販売機の扉装置について、その動作を説明する。
【００１６】
まず、サービスマン等が自動販売機１の前面扉３を開放して、商品の補充、売上データの収集などを行い、前面扉３を閉じると図３に示すような状態（ロック解除状態）になる。図３のロック解錠状態では、防盗カバー４は自動販売機本体２から離隔しており、扉ロック装置５のロックレバー５ａは自動販売機１の前方方向に引き出されるとともに、反時計回りに回動した状態になっている（ロックレバー５ａが自動販売機１の前方方向に引き出され、反時計回りに回動した状態については、図３に図示せず）。
【００１７】
この状態で、扉ロック装置５のロックレバー５ａを時計回りの方向（矢印Ｃの反対方向）に回動させることにより、ロック係合部５ｂもこれに連動して矢印Ｄの反対方向に回動する（図１参照）。ロック係合部５ｂの回動動作に連動して、ロックアングル６は下方に移動し、ガイドピン７は長孔４ａに沿って矢印Ａの方向に移動する。ガイドピン７の移動により、防盗カバー４も摺動部４ｂが前面扉３と摺動しつつ矢印Ａの方向に移動し、防盗カバー４の突設部４ａが自動販売機１本体２の凹部２ａに介在するようになる（図２参照）。この状態で、ロックレバー５ａを自動販売機１の本体２側に押し込み、図示しないキーを回すことによりロックすれば前面扉３はロック状態になる。防盗カバー４は、前面扉３と同等の長さを有するため、前面扉３と自動販売機本体２２との間の隙間がほぼ完全に閉塞されることになる。
【００１８】
以上は、本発明による自動販売機の扉装置における、ロック解除状態からロック状態にする際の動作について説明したが、ロック状態からロック解除状態にする場合は、上記の動作とは逆の動作により達成される。
【００１９】
すなわち、キーをロックレバー５ａに設けられたキー溝（図示せず）に挿入して回すと、ロックレバー５ａが引き出される。そして、ロックレバー５ａを矢印Ｃの方向に回すと、係合部５ｂも矢印Ｄの方向に回動して、ロック状態が解除される。この動作により、ロックアングル６は上方に移動するため、ガイドピン７は長孔４ｃに沿って、矢印Ａの反対方向に移動し、防盗カバー４も矢印Ａの反対方向に移動して、図３に示すロック解除状態になる。
【００２０】
上記実施の形態では、自動販売機本体２の側面に形成された凹部はコの字状になっているが、これを前面扉から離れるに連れて浅くなるように構成してもよい。
【００２１】
また上記実施の形態では、自動販売機本体２の側面に凹部２ａを形成しているが、凹部２ａの代わりに長孔を自動販売機本体２の側面に形成し、この長孔に防盗カバー４ａが介在するように構成してもよい。
【００２２】
また、扉ロック装置がロック解除状態であっても、防盗カバー４が自動販売機本体２の側面からはみ出さないように、凹部２ａを自動販売機本体２の側面から内側に形成してもよい。
【００２３】
さらに前面扉３が開いた状態では、防盗カバー４が移動しないようにすることで、前面扉３を閉じる際に突設部４ａと自動販売機本体２とが衝突することがないようにすることも可能である。
【００２４】
【発明の効果】
本発明のよれば、前面扉と扉ロック手段からなる自動販売機の扉装置において、前面扉から自動販売機本体の側面に向けて延在するカバー部を設けカバー部材は扉ロック手段の施錠操作に連動して自動販売機本体と前面扉との間の隙間を閉塞するようにしたので、特別の操作をすることなく前面扉のこじ開けによる悪戯を防止することができる。
【００２５】
また本発明によれば、自動販売機本体側面に前面扉に沿って凹部を設けるとともに、カバー部材に凹部に対向する突設部を設け、扉ロック手段の施錠動作により、カバー部材の突設部が自動販売機本体の凹部に介在するようにしたため、バールを差し込んでも、当該バールは凹部に差し込まれるだけで、前面扉をこじ開けることはできないため、悪戯を確実に防止することができる。
【００２６】
また本発明によれば、自動販売機に設けられた凹部の形状を前面扉から離れるに連れて浅くなるように形成したため、バール等を凹部に差し込まれてもカバー部材はめくられることはなく、より確実に悪戯を防止することができる。
【００２７】
また本発明によれば、カバー部材の移動する範囲は自動販売機本体の幅からはみ出すことがないようにしたため、複数台の自動販売機を並べて設置した場合であっても、各自動販売機の間隔を従来と同等にすることができ、設置スペースを有効に活用できる。
【００２８】
さらに本発明によれば、前面扉を開放された状態では、扉ロック手段が施錠状態にならないようにしたため、前面扉を閉塞する際に、カバー部材が自動販売機本体との衝突を防止することができる。
【図面の簡単な説明】
【図１】本発明にかかる自動販売機の扉装置の要部斜視図である。
【図２】本発明にかかる自動販売機の扉装置の施錠状態を示す平面断面図である。
【図３】本発明にかかる自動販売機の扉装置の解錠状態を示す平面断面図である。
【図４】自動販売機の正面図である。
【図５】従来の自動販売機の扉装置の平面断面図である。
【符号の説明】
１  自動販売機
２  自動販売機１の本体
２ａ  本体２の凹部
３  前面扉
４  防盗カバー
４ａ  防盗カバー４の突設部
４ｂ  防盗カバー４の摺動部
５  扉ロック装置
５ａ  扉ロック装置５のロックレバー
５ｂ  扉ロック装置５の係合部
６  ロックアングル
７  ガイドピン
【図１】
0003684924.tif 000002
【図２】
0003684924.tif 000003
【図３】
0003684924.tif 000004
【図４】
0003684924.tif 000005
【図５】
0003684924.tif 000006